(57)【特許請求の範囲】
【請求項１】
窓上枠に設けた障子の案内溝の奥壁に該案内溝に沿わせて取付溝を設け、該取付溝の両側縁に突設して相対させた受止片に障子外れ止めを係止させて前記窓上枠に固定するようにして前記案内溝における障子の上昇を規制するようにした障子外れ防止装置において、外れ止め本体の一端に、中間部が前記受止片間の間隙より幅狭く、しかも、前記受止片に係止する係止突部を両側にに設けた先端部が前記間隙より幅広く、かつ、前記取付溝の溝幅より狭い組付部片を上方向に突設し、他の一端の両側には前記取付溝に圧入して前記受止片に係止する係止部片を上方向にして突設した、合成樹脂製障子外れ止め。
【請求項２】
一方の係止部片の他の一方の係止部片との対向面側に、上方向に次第に前記他の一方の係止部片に近接する傾斜面を設け、該傾斜面を、前記外れ止め本体に縦接した螺子孔に螺合して先端を前記取付溝の底壁に圧接させる固定螺子の移動路上に配設した、請求項１記載の合成樹脂製障子外れ止め。
【発明の詳細な説明】
【０００１】
【産業上の利用分野】
本発明は窓上枠に取付けて、該窓上枠に設けた組付溝内における障子（上端）の上昇（操作）を規制し、防犯上、前記障子の窓枠からの取り外しを防ぐために用いる合成樹脂製障子外れ止めに関するものである。
【０００２】
【従来の技術】
窓上枠に設けた障子の組付溝の奥壁に前記組付溝に沿わせて受止溝を設け、該受止溝の両側縁に突設して相対させた受止片に障子外れ止めを係止させて前記窓上枠に固定するようにして前記組付溝内における障子の上昇を規制するようにした構造の障子外れ止め装置は具体例を挙げるまでもなく公知で、この公知構造の装置に適用されている（合成樹脂製）障子外れ止めは、両側に設けた溝を用いて窓上枠側の受止片に摺嵌して窓上枠と組合わせる構造になっている。
【０００３】
【発明が解決しようとする課題】
従って、従来の障子外れ止めは、窓上枠に組付けるには、該上枠側の受止溝の両側縁に突設して相対させた受止片の一部を切欠して、該切欠部に嵌め込むようにして受止片と当該外れ止めに設けた係合溝との位置合わせをし、障子外れ止めを窓上枠の長手方向（見付け方向）に沿わせて設けた前記受止片に沿わせて所定位置に移動（摺嵌）して組付けるようにしなければならない。
【０００４】
すなわち、窓上枠に切欠を設けるという二次加工を施させなければならない。
【０００５】
【課題を解決するための手段】
窓上枠に設けた障子の案内溝の奥壁に該案内溝に沿わせて取付溝を設け、該取付溝の両側縁に突設して相対させた受止片に障子外れ止めを係止させて前記窓上枠に固定するようにして前記案内溝における障子の上昇を規制するようにした障子外れ防止装置において、外れ止め本体の一端に、中間部が前記受止片間の間隙より幅狭く、しかも、前記受止片に係止する係止突部を両側にに設けた先端部が前記間隙より幅広く、かつ、前記取付溝の溝幅より狭い組付部片を上方向に突設し、他の一端の両側には前記取付溝に圧入して前記受止片に係止する係止部片を上方向にして突設した構成としたことを基本的手段とする。
【０００６】
【実施例】
図面は本発明に係る合成樹脂製障子外れ止めを用いた障子外れ止め装置の一適用例を示し、図１は縦断面図、図２は底面図、図３は要部の断面図、図４は外れ止めを窓上枠に組合わせる直前の断面図、図５は図３のｘ−ｘ線断面図、図６は配置関係を示す略示正面図である。
【０００７】
実施例の障子外れ止め装置は、窓枠Ｆに組込んで互いに引違う内外障子Ｂ，Ｂ´を前記窓枠Ｆよりけんどんによって取り外しができないように、障子閉塞時における前記内外障子Ｂ，Ｂ´の見付け方向（障子開閉方向）の中間部において前記窓枠Ｆの上枠１に障子外れ止めＡを取付け、該外れ止めＡの存在によって前記障子Ｂ，Ｂ´のけんどん操作に伴う上昇を規制するようにしたものである。
【０００８】
この障子外れ止め装置を構成する前記上枠１は、前記内外の障子Ｂ，Ｂ´の上案内レール２，２´で構成し、各障子Ｂ，Ｂ´の見込み方向（屋内外方向）の一部が係合する案内溝３を備え、該案内溝３の奥壁３ａには、該奥壁３ａの前記見込み方向の中間部を上方に凹入させて、前記案内溝３（の見付け方向又は長手方向）に沿わせて設けた取付溝４を備えたものである。
【０００９】
前記障子外れ止めＡは、この取付溝４と該取付溝４の長手方向（見付け方向）に沿う開口端側の両側縁に相対する方向に突出させて設けた一対の受止片（取付溝４の開口端を構成する）５，５を利用して窓上枠１に組付け、前記案内溝３内での前記障子Ｂ，Ｂ´の上昇を規制するようにして実施例装置を構成する。
【００１０】
また、前記障子外れ止めＡは、合成樹脂で構成し、外れ止め本体６の一端側に組付け部片７を、他の一端側の両側に互いに相対する一対の係止部片８，９をそれぞれ上方に向けて突設して構成する。
【００１１】
この障子外れ止めＡを構成する外れ止め本体６は、前記取付溝４に沿わせて長いほぼ方形ブロック状の主体部６ａの長手方向の両端に主体部６ａより下方に突出させて前記障子Ｂ，Ｂ´が接してその上昇を規制する規制部片６ｂ，６ｂ´を設け、主体部６ａの長手方向の一端側の一側に設けた一方の前記係止片９の近傍に固定螺子１０の螺子孔１１を縦設したものである。
【００１２】
外れ止め本体６の一端側に設けた前記組付部片７は、前記外れ止め本体６の一方の規制部片６ｂ´の外側の片面に突設したもので、規制部片６ｂ´側の基部から先端部７ａまでの中間部７ｂを前記取付溝４の開口端を構成する前記受止片５，５の間隙幅より狭くした断面屈曲状にして上方に突出させ、両側に係止突部１２，１２を設けた先端部７ａを前記受止片５，５の間隙幅（取付溝４の開口径）より幅広く（長く）、かつ、前記取付溝４の溝幅より狭くしたものである。
【００１３】
また、一方の前記係止部片８は、外れ止め本体６の主体部６ａの前記一方の規制部片６ｂ側の一側に、主体部６ａ上に立設したもので、この係止部片８の基部の外側面側に、取付溝４の開口端構成片である前記受止片５が係合する係止溝１３を設け、該係止溝１３の上縁より係止部片８の上縁間の係止部片８の外側面８ａを、上端に至るに従って、次第に前記他の一方の係止部片９の方向に近接する傾斜面と成し、該傾斜状の外側面８ａによって係止部片８を前記取付溝４内に圧入し易くしてある。
【００１４】
前記他の一方の係止部片９は、外れ止め本体６の主体部６ａの前記一方の規制部片６ｂ側の他の一側に、前記一方の係止部片８と相対する位置にして設けたもので、主体部６ａに基端をヒンジ部１４を介して連設して前記係止部片８と同様に外れ止め本体６の上方に突出させて配置したもので、その中間部の係止部片８との対向面と反対面側の外側面には、前記受止片５（取付溝４の開口を構成する）を係合する係止溝１３Ａを他の係止部片８と同様にして設け、また、他の係止部片８と同様に、該係止溝１３Ａの上縁より当該係止部片９の上縁間の外側面９ａを、上端に至るに従って、次第に前記一方の係止部片８方向に近接する傾斜面として、前記係止溝１３Ａに受止片５が係合し易くしてある。
【００１５】
また、この係止部片９は、前記傾斜状の外側面９ａに対向する内側面９ｂを外側面９ａの傾斜面とほぼ平行する傾斜面すなわち、上方向に次第に前記他の係止部片８に近接する傾斜面と成して、その一部が外れ止め本体６に設けた前記螺子孔１１の直上に（螺子１０の移動路上に）位置するように配してある。
【００１６】
しかして、このような各部を備えた外れ止めＡを、組付部片７側を上方にして案内溝３を通じて取付溝４に、組付部片７の先端部７ａが該取付溝４に交叉する様にして嵌挿し（図２の２点鎖線で示す）、該嵌挿状態で外れ止めＡを回転させると、組付部片７の中間部７ｂは受止片５，５間の間隙（取付溝４の開口径）より幅狭くしてあるため、取付溝４と直交する方向に配され、これと同時に先端部７ａは取付溝４の溝径より幅狭く、かつ、受止片５，５間の間隙より幅広いため、取付溝４と直行する方向に配され、係止突部１２，１２が受止片５，５上に載置されることになる。
【００１７】
そして、この状態で前記先端部７ａ側を中心にして外れ止めＡの係止部片８，９の傾斜面で構成した前記外側面８ａ，９ａはそれぞれ受止片５，５に接触し、さらに外れ止めＡの係止部片８，９側の外れ止め本体６部を押圧（上方へ）すると、前記外側面８ａ，９ａは強制的に受止片５の端縁に案内されるように上方へ移動し、ついには、該外側面８ａ，９ａを備えた係止部片８，９は取付溝４内に係合し、かつ、受止片５，５が係止部片８，９に設けた係止溝１３，１３Ａに部分的に係合して、外れ止めＡの窓上枠１の仮止め状態を得られる。
【００１８】
そして、予め螺子孔１１に螺合しておいた螺子１０を、さらに螺子孔１１に沿って移動させると、螺子１０の先端は、係止部片９に設けた傾斜面で構成した内側面９ｂを押圧し、このため、螺子１０の移動に（押圧に）伴って、係止部片９はヒンジ部１４を中心に回動し、螺子１０先端が取付溝４の奥壁４ａに圧接した状態で一方の受止片５側に偏し、かつ、受止片５，５が係止溝１３，１３Ａに係合して外れ止めＡの窓上枠１に対する組付操作は終了し、この状態で障子Ｂ，Ｂ´の上端は外れ止め材Ａ（規制部片６ｂ，６ｂ´）に接触して、障子Ｂ，Ｂ´の案内溝３内での上昇が規制され、障子外れ防止状態となるのである。
【００１９】
また、螺子１０を緩めると、ヒンジ部１４で外れ止め本体６に連設した一方の係止部片９は該ヒンジ部１４の弾性変形により原位置方向へと復帰し、この状態で外れ止めＡの係止部片８，９側の一端を下方に引き下げると、係止部片８，９は素材が合成樹脂であることから、わずかな弾性変形をして取付溝４から外れることになる。そして、係止部片８，９側の一端を摘んで、組付部片７側の他の一端を回転させると、係止突部１２，１２の受止片５，５に対する係止状態が解放され、外れ止めＡは窓上枠１より外れ、障子Ｂ，Ｂ´を窓枠Ｆよりけんどん操作で外せる状態となるのである。
【００２０】
なお、係止部片９に代えて他の一方の係止部片８の形状としても不都合はない。一方の係止部片９は、窓上枠１からの取り外しを考慮すれば、弾性のヒンジ部１４によって本体６に連設してあることが望ましいが、素材が合成樹脂であることを考慮したとき殊更に弾性変形を利用するものでなくとも良い。
【００２１】
【発明の効果】
本発明は前記の通りの構成であるから、上枠の長手方向に沿う２個所で該上枠に取付けて用いるものであるから、上枠に対して取付け状態の安定した製品を提供できる。
【００２２】
殊に、２個所のうちの一方を全体を障子外れ止め回転させて上枠に組付け、他の一方を上枠方向に押圧して組付けることによって組付けるものであるから、外れ止め全体を押圧して組付けるものと比較し、組付け、組外し操作を円滑に行うことができる。
【００２３】
もとより、一方側を回転させて窓枠側に簡単に組合わせて仮組付け状態を得られ、この仮止め状態を得て他方側を押圧して窓上枠に対する取付け操作を行えるから、全体の取付け作業を確実に行うことができる。
【図面の簡単な説明】
【図１】縦断面図。
【図２】底面図。
【図３】要部の断面図。
【図４】外れ止めを窓上枠に組合わせる直前の断面図。
【図５】図３のｘ−ｘ線断面図。
【図６】配置関係を示す略示正面図。
【符号の説明】
１        窓上枠
３        案内溝
４        取付溝
５        受止片
６        外れ止め本体
７        組付部片
８，９    係止部片
【図１】
0003869709.tif 000002
【図２】
0003869709.tif 000003
【図３】
0003869709.tif 000004
【図４】
0003869709.tif 000005
【図５】
0003869709.tif 000006
【図６】
0003869709.tif 000007